(57)【要約】【課題】  この発明の目的は、本体に対してユニットを着脱するときに異常な信号が回路素子に印加されることがない電子機器を提供する。【解決手段】  本体１に対して、ユニット２が着脱自在に設けられ、本体１の内蔵パネル１１にはドロアコネクタ３が取付けられており、ユニット２の背面パネル２１にはドロアコネクタ４が取付けられている。内蔵パネル１１と背面パネル２１との間に設けられている導電性バネ５の一端は内蔵パネル１１に電気的に接続されており、他端はユニット２の背面パネル２１に電気的に接触して本体１とユニット２とを同一電位に保つ。ユニット２を本体１から引き抜いたとき、ドロアコネクタ３，４の信号線の接点の接触が離れた後に、導電性バネ５の他端が背面パネル２から離れて本体１とユニット２が取外される。【選択図】      図１
2006004774.tif 000002
【特許請求の範囲】
【請求項１】
本体に対してユニットが着脱自在に設けられており、第１のコネクタが前記本体に固定され、第２のコネクタが前記ユニットに固定されていて、電源の投入状態において、前記ユニットを前記本体に着脱したとき、前記第１および第２のコネクタのそれぞれの接点を介して前記本体と前記ユニットとの信号線を接続，遮断する電子機器であって、
前記本体と前記ユニットとの間に前記第１および第２のコネクタと別個に設けられ、前記ユニットを前記本体に装着した状態で前記本体と前記ユニットとの接地電位が同一電位になるように接続し、前記ユニットを前記本体から取外したとき、前記第１および第２のコネクタの接点が離れた後に、前記本体と前記ユニットとの接続を解除する接続部材を備えた、電子機器。
【請求項２】
前記接続部材は、導電性バネであって、前記ユニットを前記本体から取外したとき、前記第１および第２のコネクタの接点が離れた後に、前記本体と前記ユニットとの接続を解除できる長さに選ばれている、請求項１に記載の電子機器。
【請求項３】
前記導電性バネは、コイルバネまたは板バネで形成されている、請求項１または２に記載の電子機器。
【請求項４】
前記導電性バネは前記第１または第２のコネクタ内に内蔵されている、請求項１から３のいずれかに記載の電子機器。
【発明の詳細な説明】
【技術分野】
【０００１】
この発明は電子機器に関し、例えば、画像形成装置において、メンテナンスのために転写ドラムを含むユニットを機器本体外へ取出せるようにした電子機器に関する。
【背景技術】
【０００２】
例えば電子機器の一例の画像形成装置においては、特開平１１−３１２５５４号公報（特許文献１）に記載されているように、感光ドラムの回転に同期して回転する転写ドラムに記録紙を吸着させて搬送し、搬送された記録紙にトナー画像を転写させている。そして、全てのトナー画像を転写した後に、定着装置によってトナー画像を記録紙上に定着して画像を得るようになっている。
【０００３】
このような画像形成装置において、電源が投入されていても、紙詰まりを除去したり、メンテナンスのために、例えば転写ドラムを含むユニットを機器本体外へ取出せるようになっている。機器本体からの着脱を行うユニットは、ドロアコネクタを使用して機器本体と電気的に接続されている。
【特許文献１】特開平１１−３１２５５４号公報（段落番号００５６、００５７、図３）
【発明の開示】
【発明が解決しようとする課題】
【０００４】
上記ドロアコネクタの接点を用いて、機器本体とユニット間の信号の接続を行う場合、ドロアコネクタの接地線と信号線が接続または切断される順番により、機器本体とユニットの接地電位が異なることがある。例えばユニットに内蔵されている回路中のコンデンサなどにより電荷が蓄積されている結果、機器本体に比べてユニットの接地電位が高くなっていることがあり、ユニットを引出したときに電圧が発生し、機器本体またはユニットの電気回路素子に印加されてしまって素子の破損や異常動作を引き起こす可能性がある。
【０００５】
そこで、この発明の目的は、機器本体に対してユニットを装着するときに異常な信号が回路素子に印加されることがない電子機器を提供することである。
【課題を解決するための手段】
【０００６】
この発明は、本体に対してユニットが着脱自在に設けられており、第１のコネクタが本体に固定され、第２のコネクタがユニットに固定されていて、電源の投入状態において、ユニットを本体に着脱するとき、第１および第２のコネクタのそれぞれの接点を介して本体とユニットとの信号線を接続，遮断する電子機器であって、本体とユニットとの間に第１および第２のコネクタとは別個に設けられ、ユニットを本体に装着した状態で本体とユニットとの接地電位が同一電位になるように接続し、ユニットを本体から取外したとき、第１および第２のコネクタの接点が離れた後に、本体とユニットとの接続を解除する接続部材を備える。
【０００７】
好ましくは、接続部材は、導電性バネであって、ユニットを本体から取外したとき、第１および第２のコネクタの接点が離れた後に、本体とユニットとの接続を解除できる長さに選ばれている。
【０００８】
好ましくは、導電性バネは、コイルバネまたは板バネで形成されている。
【０００９】
好ましくは、導電性バネは第１または第２のコネクタ内に内蔵されている。
【発明の効果】
【００１０】
この発明によれば、ユニットを本体に装着した状態で本体とユニットとの接地電位が同一電位になるように接続し、ユニットを本体から取外したとき、第１および第２のコネクタの接点が離れた後に、第１および第２のコネクタとは別個の設けられた接続部材による本体とユニットとの接続を解除するようにしたので、本体とユニットが電源投入状態であっても、各コネクタを完全に引き離さない限り本体とユニットとを共通の接地電位に保つことができる。その結果、両者間に異常電流が流れて回路素子などが破損するのを防止できる。
【発明を実施するための最良の形態】
【００１１】
図１はこの発明の一実施形態の電子機器における画像形成装置の本体からユニットを着脱する様子を示す図であり、図１(ａ）はユニットを本体に装着している状態を示し、図１（ｂ）はユニットを本体から引き抜く過程を示し、図１（ｃ）はユニットと本体との電気的接続を解除した状態を示している。
【００１２】
図１（ａ）において、本体１は画像形成装置の本体であって、本体１に対して、ユニット２が着脱自在に設けられている。ユニット２は内部に、例えば転写ドラムを含むものであり、メンテナンスのために図１において右側に引出し可能に構成されている。本体１の内蔵パネル１１は金属パネルで形成されていて、第１のドロアコネクタ３が取付けられており、ユニット２の背面パネル２１も金属パネルで形成されていて、第２のドロアコネクタ４が取付けられている。
【００１３】
ドロアコネクタ３の１つ接点は本体１の金属部分に接地されており、ドロアコネクタ４の対応する接点はユニット２の金属部分に接地されている。内蔵パネル１１と背面パネル２１との間には接続部材としての導電性バネ５が設けられている。この導電性バネ５は圧縮されることでその一端は内蔵パネル１１に電気的に接続されており、他端はユニット２の背面パネル２１に電気的に接触している。この導電性バネ５はユニット２を本体１から引き抜いたとき、伸張してドロアコネクタ３，４の信号線の接点の接触が離れた後に、その他端が背面パネル２から離れるようにその長さが選ばれている。
【００１４】
なお、導電性バネ５は一端を内蔵パネル１１に電気的に接触させ、他端を背面パネル２１に電気的に接続してもよい。また、導電性バネ５はコイル状バネあるいは板バネで形成されている。
【００１５】
図１(ａ)に示す状態では、ユニット２が本体１に装着されており、ドロアコネクタ３，４同士が結合されて複数の接点により、それぞれの信号線同士が接続されている。また、導電性バネ５の一端が内蔵パネル１１に電気的に接続されており、他端がユニット２の背面パネル２１に電気的に接触している。その結果、本体１の金属部分とユニット２の金属部分は接地電位が同一電位になっている。
【００１６】
この状態で、図１(ｂ)に示すようにユニット２を右側に引き出すと、ドロアコネクタ３，４のそれぞれの接点の結合が解除されるが、この時点では導電性バネ５の他端は背面パネル２１に接触している。このため、本体１とユニット２の信号線は結合が完全に解除されるまで、それぞれの接地電位は同一電位に保たれている。
【００１７】
さらに、図１（ｃ）に示すように、ユニット２を右側に引き出すと、導電性バネ５の他端がユニット２の背面パネルから離れる。この結果、ドロアコネクタ３，４のそれぞれの接点の結合が完全に解除されるまで本体１とユニット２の接地電位が変化せず同一電位に保つことができるので、異常な信号が本体１あるいはユニット２の回路素子に流れることがない。
【００１８】
ユニット２を本体１から取り外した後、再度本体に装着すると、まず導電性バネ５の他端がユニット２の背面パネル２１に接触するので、本体１とユニット２の接地電位が同一になる。ユニット２をさらに押し込むと、ドロアコネクタ３，４のそれぞれの接点同士が結合される。
【００１９】
このように、ユニット２を本体１に着脱する際に、本体１とユニット２の接地電位を同一電位に保った状態でドロアコネクタ３，４の接点の結合，解除を行っているので、異常な信号が回路素子に印加されることがなく、機器の誤動作および回路素子の破損を防止できる。
【００２０】
なお、導電性バネ５はドロアコネクタ３、４に内蔵してもよい。
【００２１】
また、上述の実施形態では、本体１とユニット２とを同一電位に保つために、導電性バネ５を用いるようにしたが、これに限ることなく、シリンダとピストンとの組合わせを用いるようにしてもよい。
【００２２】
さらに、図１では、ドロアコネクタ３，４のそれぞれの１つの接点を本体１とユニット２に接地するようにしたが、接地線は必ずしも設ける必要はない。
【００２３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２４】
【図１】この発明の一実施形態の電子機器における画像形成装置の本体からユニットを着脱する様子を示す図である。
【符号の説明】
【００２５】
１  本体、２  ユニット、３，４  ドロアコネクタ、５  導電性バネ、１１  内蔵パネル、２１  背面パネル。
【図１】
2006004774.tif 000003